(57)【要約】【課題】燃料電池のアノード側の水分量を推定する技術を提供する。【解決手段】燃料電池システムは、アノードガスとカソードガスとの電気化学反応により発電する燃料電池と、燃料電池にアノードガスを供給するアノードガス供給流路と、アノードガス供給流路に設けられたインジェクタと、燃料電池のアノードガス入口又はアノードガス出口におけるアノードガスの圧力測定値を取得する圧力測定部と、燃料電池のアノード側の水分量が、予め定められた水分量閾値よりも多いかどうかを推定する水分量推定部と、を備え、水分量推定部は、インジェクタの開弁時間と、インジェクタの開弁前の圧力測定値と、を含む複数の状況パラメータから、水分量が水分量閾値のときに想定される想定圧力上昇幅を求め、インジェクタの開弁に起因する圧力測定値の測定圧力上昇幅が、想定圧力上昇幅よりも大きい場合、水分量が水分量閾値よりも多いと推定する。【選択図】図５
2019145358.tif 000002
【特許請求の範囲】
【請求項１】
燃料電池システムであって、
アノードガスとカソードガスとの電気化学反応により発電する燃料電池と、
前記燃料電池にアノードガスを供給するアノードガス供給流路と、
前記アノードガス供給流路に設けられたインジェクタと、
前記燃料電池のアノードガス入口又はアノードガス出口におけるアノードガスの圧力測定値を取得する圧力測定部と、
前記燃料電池のアノード側の水分量が、予め定められた水分量閾値よりも多いかどうかを推定する水分量推定部と、を備え、
前記水分量推定部は、
前記インジェクタの開弁時間と、前記インジェクタの開弁前の前記圧力測定値と、を含む複数の状況パラメータから、前記水分量が前記水分量閾値のときに想定される想定圧力上昇幅を求め、
前記インジェクタの開弁に起因する前記圧力測定値の測定圧力上昇幅が、前記想定圧力上昇幅よりも大きい場合、前記水分量が前記水分量閾値よりも多いと推定する、燃料電池システム。
【請求項２】
請求項１に記載の燃料電池システムであって、さらに、
前記燃料電池の温度測定値を取得する温度測定部を備え、
前記複数の状況パラメータは、前記温度測定値を含む、燃料電池システム。
【請求項３】
請求項１又は請求項２に記載の燃料電池システムであって、さらに、
前記水分量が前記水分量閾値よりも多いと推定した場合、前記水分量を減少させる減少制御を行う減少制御部を備える、燃料電池システム。
【請求項４】
アノードガスとカソードガスとの電気化学反応により発電する燃料電池と、前記燃料電池にアノードガスを供給するアノードガス供給流路と、アノードガス供給流路に設けられたインジェクタと、を備える燃料電池システムの制御方法であって、
前記燃料電池のアノード側の水分量が、前記予め定められた水分量閾値よりも多いかどうかを推定する推定工程を備え、
前記推定工程は、
前記インジェクタの開弁時間と、前記インジェクタの開弁前における前記燃料電池のアノードガス入口又はアノードガス出口の圧力測定値と、を含む複数の状況パラメータから、前記水分量が前記水分量閾値のときに想定される想定圧力上昇幅を求める工程と、
前記インジェクタの開弁に起因する前記圧力測定値の測定圧力上昇幅が、前記想定圧力上昇幅よりも大きい場合、前記水分量が前記水分量閾値よりも多いと推定する工程と、を含む、燃料電池システムの制御方法。
【発明の詳細な説明】
【技術分野】
【０００１】
本発明は、燃料電池システム及びその制御方法に関する。
【背景技術】
【０００２】
特許文献１では、燃料電池のインピーダンスを用いて、燃料電池内の水分量を推定する方法が開示されている。
【先行技術文献】
【特許文献】
【０００３】
【特許文献１】特開２０１５−０９９７２７号公報
【発明の概要】
【発明が解決しようとする課題】
【０００４】
しかし、特許文献１で推定される燃料電池内の水分量は、アノード側の水分量とカソード側の水分量とを合わさせた水分量であり、燃料電池内の状態を正確に推定する上では、十分では無かった。このため、アノード側の状態を正確に推定する上では、アノード側の水分量を推定する技術が望まれていた。
【課題を解決するための手段】
【０００５】
本発明は、上述の課題を解決するためになされたものであり、以下の形態として実現することが可能である。
【０００６】
（１）本発明の一形態によれば、燃料電池システムが提供される。この燃料電池システムは、アノードガスとカソードガスとの電気化学反応により発電する燃料電池と、前記燃料電池にアノードガスを供給するアノードガス供給流路と、前記アノードガス供給流路に設けられたインジェクタと、前記燃料電池のアノードガス入口又はアノードガス出口におけるアノードガスの圧力測定値を取得する圧力測定部と、前記燃料電池のアノード側の水分量が、予め定められた水分量閾値よりも多いかどうかを推定する水分量推定部と、を備え、
前記水分量推定部は、前記インジェクタの開弁時間と、前記インジェクタの開弁前の前記圧力測定値と、を含む複数の状況パラメータから、前記水分量が前記水分量閾値のときに想定される想定圧力上昇幅を求め、前記インジェクタの開弁に起因する前記圧力測定値の測定圧力上昇幅が、前記想定圧力上昇幅よりも大きい場合、前記水分量が前記水分量閾値よりも多いと推定する。この形態の燃料電池システムによれば、燃料電池のアノード側の水分量を推定することができる。
【０００７】
（２）上記形態の燃料電池システムにおいて、前記燃料電池の温度測定値を取得する温度測定部を備え、前記複数の状況パラメータは、前記温度測定値を含んでもよい。この形態の燃料電池システムによれば、燃料電池の温度も加味することにより、燃料電池のアノード側の水分量をより正確に推定することができる。
【０００８】
（３）上記形態の燃料電池システムにおいて、さらに、前記水分量が前記水分量閾値よりも多いと推定した場合、前記水分量を減少させる減少制御を行う減少制御部を備えてもよい。この形態の燃料電池システムによれば、燃料電池のアノード側の水分量が過多のときに水分量を減少させることができる。
【０００９】
本発明は、種々の形態で実現することが可能であり、例えば、燃料電池システムの制御方法などの形態で実現することができる。
【図面の簡単な説明】
【００１０】
【図１】本発明の一実施形態である燃料電池システムの構成を示す概略図である。
【図２】アノード側とカソード側に、水が発生するメカニズムを示す図である。
【図３】アノード側の容積と、アノードガス圧力の上昇幅との関係を示す模式図である。
【図４】インジェクタの開閉とアノードガス圧力の変化とを示す模式図である。
【図５】アノード側水分量の推定工程について説明するためのフローチャートである。
【図６】第２実施形態における燃料電池システムの構成を示す概略図である。
【図７】第２実施形態におけるフローチャートである。
【発明を実施するための形態】
【００１１】
Ａ．第１実施形態
図１は、本発明の一実施形態である燃料電池システム１１０の構成を示す概略図である。燃料電池システム１１０は、燃料電池スタック（以下、単に「燃料電池」と呼ぶ）１０と、カソードガス流路２０と、アノードガス流路３０と、冷却流路７０と、制御部８０と、を備える。本実施形態では、燃料電池システム１１０は車両に搭載されている。
【００１２】
燃料電池１０は、例えば、電解質膜の両側にアノードとカソードの両電極を接合させた膜電極接合体（Membrane Electrode Assembly／ＭＥＡ）を備える発電モジュールを積層して構成されている。燃料電池１０は、アノードガスタンク６０から供給されるアノードガスとしての水素ガスとカソードガスとしての大気中の酸素との電気化学反応によって発電する。なお、アノードガスとして水素ガスの変わりに、例えば、アルコールや、炭化水素を用いてもよい。
【００１３】
カソードガス流路２０は、燃料電池１０に対してカソードガスの供給及び排出を行う流路である。カソードガス流路２０は、燃料電池１０へカソードガスを供給するカソードガス供給流路２２と、燃料電池１０からカソードガスを排出するカソードガス排出流路２４と、カソードガス供給流路２２とカソードガス排出流路２４とを連通するバイパス流路２６と、を備える。
【００１４】
カソードガス供給流路２２には、上流側から順に、外気圧計４１と、流量計４０と、コンプレッサ４２と、供給弁４４と、圧力計４５と、が設けられている。外気圧計４１は、外気圧を測定する機器である。流量計４０は、燃料電池システム１１０に取り込まれたカソードガスの流量を測定する機器である。コンプレッサ４２は、取り込んだカソードガスを圧縮し、燃料電池１０へ送り出す機器である。供給弁４４は、コンプレッサ４２から燃料電池１０へのカソードガスの流入の有無を制御する弁であり、バイパス流路２６との接続部よりもカソードガス供給流路２２の下流側に設けられている。圧力計４５は、燃料電池１０のカソードガス入口の圧力を測定する機器である。本実施形態では、圧力計４５は、燃料電池１０のカソードガス入口の圧力を測定するが、これに限られず、例えば、圧力計４５をカソードガス排出流路２４に設けることにより、燃料電池１０のカソードガス出口の圧力を測定してもよい。
【００１５】
バイパス流路２６との接続部よりもカソードガス排出流路２４の上流側には、燃料電池１０のカソード出口側のカソードガスの圧力を調整する圧力調整弁４６が設けられている。バイパス流路２６には、バイパス流路２６におけるカソードガスの流量を調節するバイパス弁４８が設けられている。本実施形態では、バイパス流路２６は、カソードガス供給流路２２におけるコンプレッサ４２と供給弁４４との間と、カソードガス排出流路２４における圧力調整弁４６よりも下流側と、を結ぶ流路である。
【００１６】
アノードガス流路３０は、燃料電池１０に対してアノードガスの供給及び排出を行う流路である。アノードガス流路３０は、燃料電池１０へアノードガスを供給するアノードガス供給流路３２と、燃料電池１０からアノードガスを排出するアノードガス排出流路３４と、アノードガス供給流路３２とアノードガス排出流路３４とを連通するアノードガス循環流路３６と、を備える。
【００１７】
アノードガス供給流路３２は、アノードガスタンク６０に接続されている。アノードガス供給流路３２には、上流側から順に、開閉弁５２と、レギュレータ５４と、上流側圧力測定部５３と、インジェクタ５６と、圧力測定部５５とが設けられている。開閉弁５２は、アノードガスタンク６０からインジェクタ５６の上流側へのアノードガスの流入の有無を制御する弁である。レギュレータ５４は、インジェクタ５６の上流側におけるアノードガスの圧力を調整するための弁である。インジェクタ５６は、燃料電池１０へのアノードガスの流入を制御する弁である。本実施形態では、インジェクタ５６は、アノードガス循環流路３６と連通する部分よりもアノードガス供給流路３２の上流側に設けられている。
【００１８】
上流側圧力測定部５３は、インジェクタ５６の入口におけるアノードガスの圧力測定値を取得する機器である。圧力測定部５５は、燃料電池１０のアノードガス入口の圧力を測定する機器である。本実施形態では、圧力測定部５５は、アノードガス循環流路３６との接合部よりもアノードガス供給流路３２の下流側に設けられている。なお、圧力測定部５５は、燃料電池１０のアノードガス出口におけるアノードガスの圧力測定値を取得するために、アノードガス排出流路３４に設けられていてもよい。これ以降、圧力測定部５５により測定された圧力測定値を、「アノードガス圧力」とも呼ぶ。
【００１９】
アノードガス排出流路３４は、気液分離器５８に接続されている。アノードガス排出流路３４は、燃料電池１０内において電気化学反応に用いられなかった未反応ガス（アノードガスや窒素ガスなど）や燃料電池１０内で生成された水を気液分離器５８へ誘導する。
【００２０】
気液分離器５８は、燃料電池１０のアノードから排出された気体と液体とを分離する。気液分離器５８は、アノードガス循環流路３６と排出管３８とに接続されている。気液分離器５８は、燃料電池１０内において電気化学反応に用いられなかった未反応のアノードガスについてはアノードガス循環流路３６へと誘導し、燃料電池１０内で生成された水や窒素ガスについては排出管３８へと誘導する。
【００２１】
アノードガス循環流路３６には、ポンプ５０が設けられている。ポンプ５０は、気液分離器５８において分離されたアノードガスを含む気体を、アノードガス供給流路３２へ送り出す。燃料電池システム１１０では、アノードガスを循環させて再び燃料電池１０に供給することにより、アノードガスの利用効率を向上させている。なお、本実施形態では、アノードガス循環流路３６にポンプ５０を備えるが、これに限られず、例えば、アノードガス循環流路３６のアノードガス供給流路３２との接続部にエゼクタを設けてもよい。また、本実施形態では、アノードガス循環流路３６を備えるが、アノードガス循環流路３６を備えなくてもよい。
【００２２】
排出管３８は、気液分離器５８において分離された液体およびガスを燃料電池システム１１０の系外へと排出するための配管である。排出管３８には、上流側から順に、排気排水を行う排出弁５７と、排気排水を行う際の音を低減するサイレンサ５９とが設けられている。
【００２３】
冷却流路７０は、燃料電池１０を冷却するために設けられた流路であり、冷却流路７０内の冷媒を冷却するラジエータ７４と、燃料電池１０内の冷媒流路とをつなぐ流路である。冷却流路７０のラジエータ７４よりも上流側には温度測定部７２が設けられており、冷却流路７０のラジエータ７４よりも下流側にはポンプ７６が設けられている。本実施形態では、温度測定部７２により燃料電池１０の温度測定値を取得することができる。なお、燃料電池１０の温度を測定する方法としては、これに限られず、例えば、燃料電池１０のカソード出口やアノード出口に温度計を設け、この温度計により測定する方法が挙げられる。
【００２４】
ＤＣ／ＤＣコンバータ９４は、燃料電池１０の出力電圧を昇圧してＰＣＵ９５に供給する。燃料電池１０の発電電力は、ＰＣＵ９５を含む電源回路を介して、車輪を駆動する駆動用モータ等の負荷や、上述したコンプレッサ４２、ポンプ５０及び各種弁に供給される。ＰＣＵ９５は、制御部８０の制御により燃料電池１０の電流を制限する。なお、燃料電池１０とＤＣ／ＤＣコンバータ９４との間には、燃料電池１０の電流を測定する電流測定部９１と、燃料電池１０の電圧を測定する電圧測定部９２とが設けられている。
【００２５】
制御部８０は、ＣＰＵとメモリと、上述した各部品が接続されるインタフェース回路とを備えたコンピュータとして構成されている。制御部８０は、ＥＣＵ（Ｅｌｅｃｔｒｏｎｉｃ  Ｃｏｎｔｒｏｌ  Ｕｎｉｔ）８２の指示に応じて、燃料電池システム１１０内の構成部品の起動及び停止を制御するための信号を出力する。ＥＣＵ８２は、燃料電池システム１１０を含む車両全体の制御を行う制御部である。例えば、車両では、アクセルペダルの踏み込み量やブレーキペダルの踏み込み量、車速等に応じてＥＣＵ８２が車両の制御を実行する。なお、ＥＣＵ８２は、制御部８０の機能の一部に含まれていてもよい。ＣＰＵは、メモリに記憶された制御プログラムを実行することにより、燃料電池システム１１０による発電の制御を行う。
【００２６】
本実施形態では、制御部８０は、アノード側の水分量についての推定を行う。この推定を行う制御部８０の機能部は、水分量推定部８１である。一般に、発電時の燃料電池１０内には、アノード側においてもカソード側においても水が存在する。
【００２７】
図２は、アノード側とカソード側における水の挙動を示す図である。アノード側では、下記式（１）に示す反応によりプロトンが生成され、カソード側では、下記式（２）に示す反応により水が生成される。
Ｈ２→２Ｈ＋＋２ｅ−              （１）
２Ｈ＋＋Ｏ２−→Ｈ２Ｏ            （２）
【００２８】
また、上記反応と並行して、アノード側とカソード側との水の濃度差に起因する拡散によって、式（２）の反応により生成された水の一部がカソード側からアノード側に移動する。同様に、上記反応と並行して、式（１）の反応により生成されたプロトンがアノード側からカソード側へ移動することに附随して、水の一部がアノード側からカソード側に移動する。この現象を「プロトン随伴」とも呼ぶ。また、アノード側の水はアノードガスに運ばれて排出され、カソード側の水はカソードガスに運ばれて排移出される。
【００２９】
一般に、燃料電池１０内のアノードガス流量は燃料電池１０内のカソードガス流量よりも少ない。このため、アノードガスが燃料電池１０からアノードガス排出流路３４へ排出されることに伴って燃料電池１０外へ排出される水の量は、カソードガスが燃料電池１０からカソードガス排出流路２４へ排出されることに伴って燃料電池１０外へ排出される水の量よりも少ない。よって、一旦、アノード側に水が溜まると、アノードガスはアノードに供給され難くなり、これに起因して式（１）の反応の進行が抑制されるとともに、アノード側からカソード側へのプロトンの移動に附随した水の移動についても抑制される。このため、燃料電池１０の発電効率を良好に保つためには、アノード側の水分量を適切な量に保つことが好ましく、このためには、まず、アノード側の水分量を推定することが好ましい。
【００３０】
本実施形態では、制御部８０は、アノード側の水分量が、予め定められた水分量閾値よりも多いかどうかについて、インジェクタ５６の開弁に起因するアノードガス圧力の上昇幅を用いて推定する。この推定メカニズムを以下に説明する。なお、本実施形態では、水分量閾値を、燃料電池１０のアノード側の容積の１０％の水分量とするが、これに限られず、例えば、燃料電池１０のアノード側の容積の５％の水分量としてもよく、燃料電池１０のアノード側の容積の１５％の水分量としてもよい。
【００３１】
図３は、燃料電池１０のアノード側の容積Ｖと、単位時間あたりのアノードガス圧力の上昇幅ΔＰとの関係を示す模式図である。ボイルの法則から、インジェクタ５６の開弁に起因して燃料電池１０内に入るアノードガスの物質量と燃料電池１０内の温度条件が等しい場合、容積Ｖと圧力上昇幅ΔＰの積は略一定となり、圧力上昇幅ΔＰは容積Ｖに対して略反比例の関係となる。このため、アノード側に水が溜まるほど、燃料電池１０内のアノード側の気体が存在できる容積Ｖは小さくなるため、容積Ｖの減少に反比例して圧力上昇幅ΔＰは大きくなる。本実施形態では、この現象を用いて、アノード側の水分量の推定を行う。
【００３２】
図４は、インジェクタ５６の開閉とアノードガス圧力の変化とを示す模式図である。図４に示されるように、インジェクタ５６の開弁により、圧力測定部５５によって測定されるアノードガス圧力は急激に上昇し、インジェクタ５６が閉まることにより、アノードガス圧力は徐々に減少していく。
【００３３】
図４では、燃料電池１０の発電効率が良好な状態におけるアノードガス圧力を破線Ｌ１で示す。つまり、破線Ｌ１は、アノード側の水分量が適切な水分量である場合におけるアノードガス圧力を示す。一方、実線Ｌ２は、アノード側の水分量が適切な水分量よりも多い場合におけるアノードガス圧力を示す。図４に示されるように、アノード側の水分量が適切な水分量よりも多い場合（実線Ｌ２の場合）における単位時間ｔＡあたりの圧力上昇幅Ｗ２は、アノード側の水分量が適切な水分量の場合（破線Ｌ１の場合）における単位時間ｔＡあたりの圧力上昇幅Ｗ１よりも大きいことが分かる。ここで、アノードガス圧力の上昇幅とは、インジェクタ５６の開弁に起因してアノードガス圧力の上昇が始まった時間から、単位時間ｔＡが経過するまでにおける最高値から最低値を引いた値である。本実施形態では、単位時間は１秒であるが、これに限られず、例えば、０．１秒としてもよく、５秒としてもよく、１０秒としてもよく。また、単位時間ｔＡを十分に小さく定めることにより、アノードガス圧力の上昇幅として、インジェクタ５６の開弁に起因したアノードガス圧力の上昇傾きを用いてもよい。
【００３４】
図５は、制御部８０によって実行されるアノード側水分量の推定工程について説明するためのフローチャートである。この処理は、燃料電池システム１１０の稼働中に常時繰り返し実行される。
【００３５】
まず、制御部８０は、インジェクタ５６の開弁に起因するアノードガス圧力の想定上昇幅である想定圧力上昇幅ＷＳの導出を行う（工程Ｐ１１０）。想定圧力上昇幅ＷＳは、アノード側の水分量が予め定められた水分量閾値であるときに、複数の状況パラメータから想定されるアノードガス圧力の上昇幅である。複数の状況パラメータとして、インジェクタ５６の開弁に起因するアノードガス圧力への影響が大きいパラメータを用いる。本実施形態では、複数の状況パラメータは、インジェクタ５６の開弁時間と、インジェクタ５６の開弁前のアノードガス圧力とを含む。本実施形態では、制御部８０は、ルックアップテーブル８５を用いて複数の状況パラメータから想定圧力上昇幅ＷＳを導出する。しかし、これに限られず、複数の状況パラメータを変数とする関数を用いて想定圧力上昇幅ＷＳを算出してもよい。本実施形態では、ルックアップテーブル８５は、制御部８０に予め記憶されている。
【００３６】
なお、複数の状況パラメータは、インジェクタ５６の開弁時間と、インジェクタ５６の開弁前のアノードガス圧力に限られない。例えば、複数の状況パラメータとして、さらに、温度測定部７２により取得した燃料電池１０の温度測定値と、アノードガス循環流路３６に設けられたポンプ５０の回転数と、上流側圧力測定部５３により測定されたインジェクタ５６の入口側の圧力と、の少なくとも一つを用いてもよい。これらの状況パラメータは、無視することも可能であるが、これらの状況パラメータを想定圧力上昇幅ＷＳの導出に用いることにより、アノード側の水分量の推定精度をさらに向上させることができる。
【００３７】
想定圧力上昇幅ＷＳを導出した後（工程Ｐ１１０）、制御部８０は、実際のアノードガス圧力から測定圧力上昇幅ＷＰを算出し（工程Ｐ１１５）、測定圧力上昇幅ＷＰが想定圧力上昇幅ＷＳよりも大きいかどうかを判定する（工程Ｐ１２０）。本実施形態では、制御部８０は、インジェクタ５６の開弁に起因してアノードガス圧力の上昇が始まった時間から、単位時間ｔＡが経過するまでにおける最高値から最低値を引いた値を、測定圧力上昇幅ＷＰとする。本実施形態では、制御部８０は、圧力測定部５５によって測定されたアノードガス圧力から測定圧力上昇幅ＷＰを導出する。
【００３８】
測定圧力上昇幅ＷＰが想定圧力上昇幅ＷＳよりも大きい場合、制御部８０は、燃料電池１０のアノード側の水分量が水分量閾値Ｔｈよりも多いと推定し（工程Ｐ１３０）、フローを終了する。一方、測定圧力上昇幅ＷＰが想定圧力上昇幅ＷＳ以下の場合、制御部８０は、燃料電池１０のアノード側の水分量が水分量閾値Ｔｈ以下と推定し（工程Ｐ１４０）、フローを終了する。
【００３９】
本実施形態の燃料電池システムによれば、インジェクタ５６の開弁に起因するアノードガス圧力の上昇幅を用いることにより、燃料電池１０のアノード側の水分量を推定することができる。
【００４０】
Ｂ．第２実施形態
図６は、第２実施形態における燃料電池システム１１０Ａの構成を示す概略図である。図７は、第２実施形態におけるフローチャートである。第２実施形態は、第１実施形態と比較して、さらに、工程Ｐ１３０の後に工程Ｐ１３５を備えるとともに、制御部８０に後述する減少制御を行う減少制御部８３を備える点で異なるが、その他は同じである。
【００４１】
第２実施形態では、制御部８０が燃料電池１０のアノード側の水分量が水分量閾値Ｔｈよりも多いと推定した場合（工程Ｐ１３０）、制御部８０は、燃料電池１０のアノード側の水分量を減少させる減少制御を行う（工程Ｐ１３５）。本実施形態では、制御部８０は、減少制御として、減少制御を行わない場合と比較して、ポンプ５０の回転数を増加させる制御を行う。このようにすることにより、アノードガスが燃料電池１０からアノードガス排出流路３４へ排出されることに伴って燃料電池１０外へ水が排出され、燃料電池１０のアノード側の水分量を減少させる。しかし、これに限られず、例えば、制御部８０は、減少制御として、減少制御を行わない場合と比較して、インジェクタ５６の開弁時間を増加させる制御を行うことにより、燃料電池１０のアノード側の水分量を減少させてもよい。第２実施形態によれば、減少制御を備えることにより、アノード側の水分量を減少させることができる。
【００４２】
本発明は、上述の実施形態に限られるものではなく、その趣旨を逸脱しない範囲において種々の構成で実現することができる。例えば、発明の概要の欄に記載した各形態中の技術的特徴に対応する実施形態中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００４３】
１０…燃料電池
２０…カソードガス流路
２２…カソードガス供給流路
２４…カソードガス排出流路
２６…バイパス流路
３０…アノードガス流路
３２…アノードガス供給流路
３４…アノードガス排出流路
３６…アノードガス循環流路
３８…排出管
４０…流量計
４１…外気圧計
４２…コンプレッサ
４４…供給弁
４５…圧力計
４６…圧力調整弁
４８…バイパス弁
５０…ポンプ
５２…開閉弁
５３…上流側圧力測定部
５４…レギュレータ
５５…圧力測定部
５６…インジェクタ
５７…排出弁
５８…気液分離器
５９…サイレンサ
６０…アノードガスタンク
７０…冷却流路
７２…温度測定部
７４…ラジエータ
７６…ポンプ
８０…制御部
８１…水分量推定部
８２…ＥＣＵ
８３…減少制御部
８５…ルックアップテーブル
９１…電流測定部
９２…電圧測定部
９４…ＤＣ／ＤＣコンバータ
９５…ＰＣＵ
１１０、１１０Ａ…燃料電池システム
Ｌ１…破線
Ｌ２…実線
Ｔｈ…水分量閾値
Ｖ…容積
Ｗ１、Ｗ２…圧力上昇幅
ＷＰ…測定圧力上昇幅
ＷＳ…想定圧力上昇幅
ｔＡ…単位時間
【図１】
2019145358.tif 000003
【図２】
2019145358.tif 000004
【図３】
2019145358.tif 000005
【図４】
2019145358.tif 000006
【図５】
2019145358.tif 000007
【図６】
2019145358.tif 000008
【図７】
2019145358.tif 000009